(57)【要約】【課題】ドア体に滑車を取付けるための加工及び取付作業を容易に行うことができ、かつドア縦框の上下端部加工が容易である上げ下げ障子を有する断熱ドアを提供する。【解決手段】建物開口部に設けたドア枠１に複合材からなるドア体２を収めると共に、ドア体２は外障子３及び内障子４を上下動可能に収めた断熱ドアにおいて、左右の縦框２２、２２はそれぞれ室外側端部に外レール２２ｃを有すると共に、室内側端部に内レール２２ｅを有してなり、かつ、外レール２２ｃと内レール２２ｅの間にガイド部材４０を介在させて中央レール２２ｄを取付けてなり、外レール２２ｃとガイド部材４０の中央レール２２ｄとで外障子３を案内する外ガイド溝２２ｇを形成すると共に、内レール２２ｅとガイド部材４０の中央レール２２ｄとで内障子４を案内する内ガイド溝２２ｈを形成する。【選択図】  図２
2004285749.tif 000002
【特許請求の範囲】
【請求項１】
建物開口部に設けたドア枠に金属部材の室内側露出部分を樹脂部材にて略覆った上下框及び左右の縦框からなるドア体を収めると共に、該ドア体は外障子及び内障子を上下動可能に収めた上げ下げ障子を有する断熱ドアにおいて、
上記左右の縦框はそれぞれ室外側端部に外レールを有すると共に、室内側端部に内レールを有してなり、かつ、上記外レールと内レールの間にガイド部材を介在させて中央レールを取付けてなり、
上記外レールとガイド部材の中央レールとで上記外障子を案内する外ガイド溝を形成すると共に、上記内レールとガイド部材の中央レールとで上記内障子を案内する内ガイド溝を形成することを特徴とする上げ下げ障子を有する断熱ドア。
【請求項２】
上記ガイド部材は平面部を有し、該平面部を上記内ガイド溝の底面としてなると共に、上記平面部から略垂直状に形成したレール部を有し、該レール部を上記中央レールとしてなることを特徴とする請求項１記載の上げ下げ障子を有する断熱ドア。
【請求項３】
上記ドア体の金属縦框は室外側端部に上記外レールを有すると共に室内側端部に突片を有し、上記ドア体の樹脂縦框は上記突片の室内側面を略覆って上記内レールを形成してなることを特徴とする請求項１または２記載の上げ下げ障子を有する断熱ドア。
【請求項４】
上記内ガイド溝は上記内障子を閉じた状態における室内側露出部分を略覆う樹脂からなるレール溝カバーを備えると共に、上記内障子を閉じた状態において内障子と対向する上記中央レールの室内側面には金属からなるレール補助部材を備えてなることを特徴とする請求項１〜３のいずれか１項に記載の上げ下げ障子を有する断熱ドア。
【請求項５】
上記レール溝カバーは上記中央レール及び樹脂縦框に嵌合固定されていることを特徴とする請求項４記載の上げ下げ障子を有する断熱ドア。
【請求項６】
上記レール補助部材は一端を上記ガイド部材の中央レールに係止すると共に、他端を上記ガイド部材の内障子との対向面に固定してなることを特徴とする請求項４または５記載の上げ下げ障子を有する断熱ドア。
【発明の詳細な説明】
【０００１】
【発明の属する技術分野】
本発明は、開閉自在な断熱ドアの内部に室内外障子を上下動可能に収めてなる上げ下げ障子を有する断熱ドアに関する。
【０００２】
【従来の技術】
従来から、ドア枠に開閉自在に収められるドア本体の内部に、室内側と室外側の障子からなる一対の上げ下げ障子を収めてなるドアが提供されており、住宅における勝手口のドア等として広く用いられている。また、このようなドアにおいては、断熱性を高めるためにドア枠及びドア本体の室内側露出部分を樹脂部材にて構成した断熱ドアも広く用いられている。このような上げ下げ障子を有する断熱ドアとしては、例えば特許文献１や特許文献２に示すようなものがある。
【０００３】
【特許文献１】
特開２００１−９８８５１号公報
【特許文献２】
特開２００２−１８０７６７号公報
【０００４】
これらの断熱ドアにおけるドア体は、ドア上下框及び左右のドア縦框を方形状に框組みしてなり、ドア縦框には長手方向略全長に渡って上げ下げ障子を案内するためのレールが設けられている。これらのレールは、室外側から順に外レール、中央レール、内レールからなっている。室外側の障子は外レールと中央レールに案内されて上下動し、室内側の障子は中央レールと内レールに案内されて上下動する。また、上げ下げ障子は、互いにワイヤにて連結されており、このワイヤはドア体の内部に設けられた滑車に掛けられて、室内外の障子は連動して上下動するようにされている。
【０００５】
【発明が解決しようとする課題】
しかし、従来の上げ下げ障子を有する断熱ドアにおいては、以下に述べる問題点を有していた。
上げ下げ障子を連動して上下動させるための滑車は、中空状に形成されたドア縦框に収められる。一方、ドア縦框には外レールと中央レール及び内レールがあって、その形状は複雑である。したがって、滑車をドア縦框に収めるための構造も複雑となり、その加工及び滑車の取付作業は困難なものとなる。また、ドア縦框のドア上下框に対する接続部分についても、上記３つのレールがあるために複雑な形状となり、その加工は困難である。
【０００６】
本発明は、上記従来の問題点に鑑みてなされたものであり、ドア体に滑車を取付けるための加工及び取付作業を容易に行うことができ、かつドア縦框の上下端部加工が容易である上げ下げ障子を有する断熱ドアを提供することを目的とする。
【０００７】
【課題を解決するための手段】
上記課題を解決するために、本発明に係る上げ下げ障子を有する断熱ドアは、建物開口部に設けたドア枠に金属部材の室内側露出部分を樹脂部材にて略覆った上下框及び左右の縦框からなるドア体を収めると共に、該ドア体は外障子及び内障子を上下動可能に収めた上げ下げ障子を有する断熱ドアにおいて、
上記左右の縦框はそれぞれ室外側端部に外レールを有すると共に、室内側端部に内レールを有してなり、かつ、上記外レールと内レールの間にガイド部材を介在させて中央レールを取付けてなり、
上記外レールとガイド部材の中央レールとで上記外障子を案内する外ガイド溝を形成すると共に、上記内レールとガイド部材の中央レールとで上記内障子を案内する内ガイド溝を形成することを特徴として構成されている。
【０００８】
また、本発明に係る上げ下げ障子を有する断熱ドアは、上記ガイド部材は平面部を有し、該平面部を上記内ガイド溝の底面としてなると共に、上記平面部から略垂直状に形成したレール部を有し、該レール部を上記中央レールとしてなることを特徴として構成されている。
【０００９】
さらに、上記ドア体の金属縦框は室外側端部に上記外レールを有すると共に室内側端部に突片を有し、上記ドア体の樹脂縦框は上記突片の室内側面を略覆って上記内レールを形成してなることを特徴として構成されている。
【００１０】
さらにまた、本発明に係る上げ下げ障子を有する断熱ドアは、上記内ガイド溝は上記内障子を閉じた状態における室内側露出部分を略覆う樹脂からなるレール溝カバーを備えると共に、上記内障子を閉じた状態において内障子と対向する上記中央レールの室内側面には金属からなるレール補助部材を備えてなることを特徴として構成されている。
【００１１】
そして、本発明に係る上げ下げ障子を有する断熱ドアは、上記レール溝カバーは上記中央レール及び樹脂縦框に嵌合固定されていることを特徴として構成されている。
【００１２】
また、本発明に係る上げ下げ障子を有する断熱ドアは、上記レール補助部材は一端を上記ガイド部材の中央レールに係止すると共に、他端を上記ガイド部材の内障子との対向面に固定してなることを特徴として構成されている。
【００１３】
【発明の実施の形態】
本発明の実施形態について図面に沿って詳細に説明する。図１は本実施形態における断熱ドアの縦断面図である。また、図２は本実施形態における断熱ドア上部の横断面図であり、図３は断熱ドア下部の横断面図である。これら各図において、本実施形態における上げ下げ障子を有する断熱ドアは、建物開口部Ａにドア枠１を設け、ドア枠１にはドア体２を開閉自在に収めてなり、ドア体２には外障子３及び内障子４を上下動可能に収めたものである。また、上げ下げ障子を開放可能に構成しているため、ドア体２の室外側には網戸５を設けている。ドア体２はドアクローザ６によって開閉自在とされるものであり、住宅の勝手口等に用いられる。また、ドア枠１とドア体２及び室内外障子３、４はそれぞれ、金属材の室内側露出部分を樹脂材にて略覆った複合材からなり、断熱性を確保している。
【００１４】
建物開口部Ａに設けられるドア枠１は、金属材の室内側露出部分を樹脂材で略覆った複合材からなるものであり、金属部分は金属上枠１０ａと金属下枠１１ａ及び金属縦枠１２ａ、１２ａを方形状に枠組みして、ねじによって相互に締結してなる。また、それらの室内側露出部分にはそれぞれ樹脂上枠１０ｂと樹脂下枠１１ｂ及び樹脂縦枠１２ｂ、１２ｂを設けて、それらは各金属枠に対してねじ止めや係止によって固定される。このように、ドア枠１において金属材の室内側露出部分を樹脂材で略覆うことにより、断熱性を高めている。
【００１５】
ドア枠１の内部に収められるドア体２を構成する各ドア框材も、金属材の室内側露出部分を樹脂材で略覆ってなるものである。金属部分はドア金属上框２０ａとドア金属下框２１ａ及びドア金属縦框２２ａ、２２ａを方形状に枠組みして、ねじによって相互に締結してなる。また、それらの室内側露出部分にはそれぞれドア樹脂上框２０ｂとドア樹脂下框２１ｂ及びドア樹脂縦框２２ｂ、２２ｂを設けて、それらは各ドア金属框に対してねじ止めや係止によって固定される。このようにドア枠１と同様にドア体２も複合材からなることにより、ドアの断熱性を高めている。
【００１６】
また、ドア体２の内部に収められる外障子３及び内障子４も、金属材の室内側露出部分を樹脂材で略覆ってなるものである。金属部分は障子金属上框３０ａと障子金属下框３１ａ及び障子金属縦框３２ａ、３２ａを方形状に枠組みして、ねじによって相互に締結してなる。また、それらの室内側露出部分にはそれぞれ障子樹脂上框３０ｂと障子樹脂下框３１ｂ及び障子樹脂縦框３２ｂ、３２ｂを設けて、それらは各障子金属框に対してねじ止めや係止によって固定される。
【００１７】
このように、本実施形態におけるドアは、ドア枠１とドア体２、外障子３及び内障子４のいずれも、室内側露出部分を樹脂材にて略覆ってなるものであり、金属による冷たい感じを隠すことができると共に、高い断熱性を有している。さらに、方形状とされた外障子３及び内障子４の框内部には、それぞれ複層ガラスを収めており、ガラス部分における断熱性も確保している。なお、ドア枠１を構成する各金属枠材と、ドア体２や外障子３及び内障子４を構成する各金属框材は、断面中空状の押出し型材であり、通常アルミが用いられる。また、ドア枠１とドア体２、外障子３及び内障子４に用いられる樹脂材は、熱伝導率の低い塩化ビニルやアクリル樹脂等から成型される。
【００１８】
次に、ドア縦框２２の構造について説明する。ドア縦框２２は、外障子３及び内障子４を上下動自在に案内するために、断面形状において室外側から順に外レール２２ｃと中央レール２２ｄ及び内レール２２ｅを備えている。外レール２２ｃは、ドア金属縦框２２ａの室外側端部において、外障子３側に突出して形成されている。また、内レール２２ｅは、ドア金属縦框２２ａの室内側端部において、内障子４側に突出して形成された突片２２ｆの室内側面を、ドア樹脂縦框２２ｂが覆うことで形成されている。ここで、ドア樹脂縦框２２ｂは、ドア金属縦框２２ａの突片２２ｆの先端よりも、内障子４側にさらに突出してドア金属縦框２２ａを覆っている。さらに、中央レール２２ｄは、外レール２２ｃと内レール２２ｅの間に設けられるガイド部材４０に形成される。すなわち、中央レール２２ｄは、ガイド部材４０を介在させてドア縦框２２に取付けられることになる。このガイド部材４０については後で詳述する。
【００１９】
これら外レール２２ｃと中央レール２２ｄ及び内レール２２ｅによって、外障子３及び内障子４を上下方向に案内する溝を形成している。すなわち、外レール２２ｃと中央レール２２ｄにより、ドア縦框２２の断面形状において室外側に凹部状の溝を形成し、外障子３を案内する外ガイド溝２２ｇとなる。また、内レール２２ｅと中央レール２２ｄにより、ドア縦框２２の断面形状において室内側に凹部状の溝を形成し、内障子４を案内する内ガイド溝２２ｈとなる。
【００２０】
外ガイド溝２２ｇに案内される外障子３は、閉じた状態ではドア体２の上部に配置される。一方、内ガイド溝２２ｈに案内される内障子４は、閉じた状態ではドア体２の下部に配置される。内障子４の障子樹脂上框３０には、持手部３０ｃが形成されており、持手部３０ｃを持って内障子４を上方に引き上げると、それと連動して外障子３は下方に引き下げられる。そして、外障子３と内障子４が略同高さとなる位置において、それ以上移動しないように障子ストッパ４７、４７が外ガイド溝２２ｇ及び内ガイド溝２２ｈにそれぞれ設けられている。したがって、外障子３と内障子４はそれぞれ外ガイド溝２２ｇ及び内ガイド溝２２ｈの高さに対して最大約４分の１だけ移動し、最も各障子が開いた状態では、ドア体２の略中央付近で互いに重なり合うことになる。
【００２１】
外障子３と内障子４は、それぞれ障子取付具４６、４６を両先端に設けたワイヤ４５によって連結されている。障子取付具４６、４６は、外障子３と内障子４のそれぞれ下端付近に固定される。ドア縦框２２の外レール２２ｃと内レール２２ｅの間には、滑車４４が設けられ、ワイヤ４５をこの滑車４４に掛けることで、外障子３と内障子４は連動して上下動することができる。滑車４４は、ドア体２の中央より上方に、中央レール２２ｄを貫通するように設けられる。ここで、外ガイド溝２２ｇに露出する部分については、滑車カバー４４ａによって覆われ、滑車４４は外部から直接見えないようにされている。なお、この滑車４４及び滑車カバー４４ａは、後述するガイド部材４０の一部を構成するものである。
【００２２】
障子を閉じた状態では、外障子３はドア体２の室外側上方に、内障子４はドア体の室内側下方にそれぞれ配置されるので、各障子を閉じた状態における内ガイド溝２２ｈの略上半分は室内側に露出することになる。そこで、その部分について金属材を直接露出させないために、ドア縦框２２の内ガイド溝２２ｈには、その上半分にレール溝カバー４２が設けられる。このレール溝カバー４２は、長手方向には内ガイド溝２２ｈの上半分を略覆う長さに形成され、断面形状は略Ｌ字状に形成されて、レール溝カバー４２を取付けた状態でも内ガイド溝２２ｈが溝状となるようにされている。そして、室外側端部で中央レール２２ｄの先端に係合すると共に、室内側端部近傍でドア金属縦框２２ａの突片２２ｆに係合し、固定されている。このレール溝カバー４２を設けることにより、室内側から見たドアの意匠性を統一できると共に、断熱性を一層向上させることができる。また、レール溝カバー４２によって滑車４４の内ガイド溝２２ｈに露出する部分を覆われて、滑車４４は室内側から直接見えることはない。
【００２３】
また、ドア縦框２２の内ガイド溝２２ｈにおける、レール溝カバー４２の取付位置よりも下方には、中央レール２２ｄを補強するためにレール補助部材４３が設けられる。内ガイド溝２２ｈの略下半分は内障子４が閉じた状態では、室内側に露出しないので、レール補助部材４３は金属から形成される。このレール補助部材４３は、長手方向には内ガイド溝２２ｈの下半分を略覆う長さに形成され、断面形状は略Ｌ字状に形成されている。そして、その一端は中央レール２２ｄの先端に係合すると共に、他端は中央レール２２ｄを有するアタッチメント４１にねじ止めして固定される。なお、これらレール溝カバー４２及びレール補助部材４３は、次に述べるガイド部材４０の一部を構成するものである。
【００２４】
次に、ドア縦框２２に設けられるガイド部材４０について説明する。図４はガイド部材４０を室内側露出方向から見た正面図である。また、図５はガイド部材の断面取付図であり、図６はガイド部材の組立図である。ガイド部材４０は、中央レール２２ｄを形成するためのアタッチメント４１の上半分にレール溝カバー４２を取付けると共に、下半分にレール補助部材を取付け、さらに滑車４４及び滑車カバー４４ａを固定してなるものである。このガイド部材４０をドア縦框２２における外レール２２ｃと内レール２２ｅの間に設けることにより、中央レール２２ｄの形成と同時に滑車４０等をドア縦框２２に固定することができるものである。
【００２５】
アタッチメント４１は、内ガイド溝２２ｈの底面となる平面部４１ａと、ドア縦框２２に固定される固定部４１ｂと、平面部４１ａから略垂直方向に延出し、中央レール２２ｄを形成するレール部４１ｃとからなっている。平面部４１ａは、アタッチメント４１がドア縦框２２に固定された際に、外ガイド溝２２ｇの底面と略面一状となるように形成されてなる。また、固定部４１ｂは、ドア縦框２２の室内側に形成された凹部状の部分に収められ、その両側壁に係合することで固定される。さらに、レール部４１ｃは、ドア縦框２２における略中央付近に位置するように、上げ下げ障子側に突出してなる。このアタッチメント４１は、外障子３及び内障子４が閉じた状態における上下方向略全長に渡る長さに、断面形状を略一定としてアルミ等の金属材から形成される。
【００２６】
また、ガイド部材４０は、その略上半分にレール溝カバー４２をアタッチメント４１のレール部４１ｃに係合し、固定する。さらに、略下半分にはレール補助部材４３をアタッチメント４１の内障子４に対向する面にねじ止めによって固定する。ここで、レール溝カバー４２とレール補助部材４３によって構成される中央レール２２ｄの室内側面は、略面一状とされてなる。そして、アタッチメント４１のレール部４１ｃには、滑車４４に適合する開口部を形成している。ここに滑車４４を挿入すると共に、滑車４４とアタッチメント４１を固定する。また、滑車４４には障子取付具４６、４６を両先端に備えるワイヤ４５を掛けておく。さらに、滑車４４においてアタッチメント４１の外方に突出した部分については、その部分を略覆う滑車カバー４４ａを設けている。なお、図５はガイド部材４０の上部における断面を示しており、ガイド部材４０の下部における断面は、図８に示すようになる。
【００２７】
ガイド部材４０は、ドア縦框２２に対する取付の前に、図６に示すように予め組立てておく。中央レール２２ｄをドア縦框２２に一体的に形成している場合では、滑車４４を挿入するために設ける中央レールの開口を形成するための加工は、外レール２２ｃや内レール２２ｅに干渉されるため困難であるのに対し、別体として形成されるアタッチメント４１に開口を形成するのは容易である。また、滑車４４を挿入する作業においても、アタッチメント４１を用いることにより外レール２２ｃや内レール２２ｅに干渉されることなく容易に作業を行うことができる。
【００２８】
次に、ガイド部材４０を取付けた状態におけるドア縦框２２の正面図を図７に示す。この図に示すように、ガイド部材４０はドア縦框２２に取付けられることにより、外レール２２ｃと中央レール２２ｄで外ガイド溝２２ｇを形成すると共に、内レール２２ｅと中央レール２２ｄで内ガイド溝２２ｈを形成する。また、ドア縦框２２の上端部及び下端部には、ドア上框２０とドア下框２１の端部がそれぞれ当接してドア体２を形成することとなる。中央レール２２ｄをドア縦框２２と一体的に形成している場合には、中央レール２２ｄの上端部及び下端部を切欠いたような形状に加工する必要がある。一方、ガイド部材４０を別体として設ける場合には、長手方向の長さを調節するだけでそれらに干渉しないようにすることができる。したがって、ドア縦框２２に施す加工を容易にすることができる。
【００２９】
以上、本発明の実施形態について説明したが、本発明の適用は上記実施形態には限られず、その技術的思想の範囲において様々に適用され、種々異なる形態にて実施されてよい。
【００３０】
【発明の効果】
以上説明したように、本発明に係る上げ下げ障子を有する断熱ドアは、縦框はそれぞれ室外側端部に外レールを有し、室内側端部に内レールを有すると共に、外レールと内レールの間に中央レールを有するガイド部材を取付けたことにより、中央レールは縦框と別体となり、中央レール付近に設けられる障子用の滑車をガイド部材に予め取付けておけるので、滑車を取付けるために行うドア縦框に対する加工が不要となり、加工が容易であると共に、滑車の取付作業も容易に行うことができる。また、縦框の上下端部付近も、中央レール部分を別体としたことにより、形状が簡単になるので、その加工も容易となる。
【００３１】
また、本発明に係る上げ下げ障子を有する断熱ドアは、ガイド部材に内ガイド溝の底面となる平面部を形成し、この平面部から略垂直状に形成したレール部を有していることにより、ガイド部材を取付けることで内ガイド溝を形成することができるので、ドア框の施工が容易である。
【００３２】
さらに、本発明に係る上げ下げ障子を有する断熱ドアは、金属縦框は室内側端部に突片を有し、樹脂框は突片の室内側面を略覆って内レールを形成するので、内レールの強度を確保しつつ、室内側露出面を樹脂材にて覆った見栄えのよいドアとすることができる。
【００３３】
さらにまた、本発明に係る上げ下げ障子を有する断熱ドアは、内ガイド溝は内障子が閉じた状態における上端より上部にガイド部材の室内側露出部分を略覆う樹脂材からなるレール溝カバーを備えたことにより、滑車を隠すことができるので、内ガイド溝の室内側からの見栄えをよくすることができる。また、レール溝カバーより下部には中央レールの室内側面に金属からなるレール補助部材を設けてなることにより、中央レールの強度を確保できると共に、内ガイド溝にレール溝カバーを備えた上部との段差を生じさせないようにすることができる。
【００３４】
そして、本発明に係る上げ下げ障子を有する断熱ドアは、レール溝カバーは中央レール及び樹脂縦框に嵌合固定されていることにより、レール溝カバーの取付が容易である。
【００３５】
また、本発明に係る上げ下げ障子を有する断熱ドアは、レール補助部材は一端をガイド部材の中央レールに係止すると共に、他端をガイド部材の内障子との対向面に固定してなることにより、レール補助部材を障子側から固定することができ、組立が容易である。
【図面の簡単な説明】
【図１】本実施形態における上げ下げ障子を有する断熱ドアの縦断面図である。
【図２】本実施形態における上げ下げ障子を有する断熱ドア上部の横断面図である。
【図３】本実施形態における上げ下げ障子を有する断熱ドア下部の横断面図である。
【図４】本実施形態における断熱ドアのドア縦框に設けられるガイド部材を室内側露出方向から見た正面図である。
【図５】本実施形態における断熱ドアのドア縦框に設けられるガイド部材の断面取付図である。
【図６】本実施形態における断熱ドアのドア縦框に設けられるガイド部材の組立図である。
【図７】本実施形態におけるドア縦框の上げ下げ障子との対向面側から見た正面図である。
【図８】本実施形態における断熱ドアのドア縦框に設けられるガイド部材下部の断面図である。
【符号の説明】
１      ドア枠
２      ドア体
３      外障子
４      内障子
２２      ドア縦框
２２ａ    ドア金属縦框
２２ｂ    ドア樹脂縦框
２２ｃ    外レール
２２ｄ    中央レール
２２ｅ    内レール
２２ｆ    突片
２２ｇ    外ガイド溝
２２ｈ    内ガイド溝
４０      ガイド部材
４１      アタッチメント
４１ａ    平面部
４１ｂ    固定部
４１ｃ    レール部
４２      レール溝カバー
４３      レール補助部材
４４      滑車
【図１】
2004285749.tif 000003
【図２】
2004285749.tif 000004
【図３】
2004285749.tif 000005
【図４】
2004285749.tif 000006
【図５】
2004285749.tif 000007
【図６】
2004285749.tif 000008
【図７】
2004285749.tif 000009
【図８】
2004285749.tif 000010